(57)【要約】      （修正有）【課題】尿などが繰り返して与えられても迅速に吸収できる吸収性物品およびこれを使用した使い捨ておむつを提供する。【解決手段】裏面シート２２と表面シート２３で形成された液収納体２１は内部空間が肌側に向けて拡大可能である。液収納体２１の内部には繊維層２６と共に液吸収ユニット３０が設けられている。液吸収ユニット３０の収納シート３１は伸長可能な不織布であり、収納袋３５内の高吸収性材料３６が尿を吸収して膨張すると収納袋３５の厚みが増大する。その結果、液収納体２１の内部空間が広がり、この内部空間に与えられた尿が、繊維層２６および高吸収性材料３６により直ちに吸収されるようになる。【選択図】図３
2005137648.tif 000002
【特許請求の範囲】
【請求項１】
肌側に位置する液透過性の表面シートとこれと逆の着衣側に位置する液遮断性の裏面シートとを有し内部空間が肌側に向かって広がることが可能な液収納体と、前記液収納体の内部空間に位置する液吸収ユニットとを有し、
前記液吸収ユニットは、液透過性の収納シートで形成された複数の収納袋と、前記収納袋内に収納されて液を吸収してその体積が膨張する高吸収性材料とを有しており、
前記高吸収性材料が液を吸収した状態で前記収納袋の高さ寸法が増大し、前記液収納体の内部空間が肌側に向けて拡大することを特徴とする吸収性物品。
【請求項２】
前記液吸収ユニットが液を吸収する前の状態において、液収納体の内部空間が肌側へ向けて拡張できるように、前記液収納体の両側部を形成するシートが曲げられている請求項１記載の吸収性物品。
【請求項３】
前記液収納体は、前記裏面シートが、着衣側および両側部を覆っており、前記両側部において前記裏面シートが曲げられている請求項２記載の吸収性物品。
【請求項４】
前記液収納体の内部には、前記液吸収ユニットと共に、繊維層が設けられている請求項１ないし３のいずれかに記載の吸収性物品。
【請求項５】
前記収納袋を形成している前記収納シートは少なくとも一部が伸縮性を有している請求項１ないし４のいずれかに記載の吸収性物品。
【請求項６】
前記収納シートの少なくとも一部が伸縮性を有するエアースルー不織布で形成されている請求項５記載の吸収性物品。
【請求項７】
前記液吸収ユニットは、前記高吸収性材料がその質量の１０倍の塩化ナトリウム水溶液（０．９％）を吸収したときに、高さが１．５倍以上に膨張する請求項１ないし６のいずれかに記載の吸収性物品。
【請求項８】
請求項１ないし７のいずれかに記載の吸収性物品と、前記吸収性物品の裏面シートを覆う着衣側シートとを有することを特徴とする使い捨ておむつ。
【発明の詳細な説明】
【技術分野】
【０００１】
本発明は、尿などの液の速やかな吸収が可能な吸収性物品、およびこの吸収性物品を備えた使い捨ておむつに関する。
【背景技術】
【０００２】
使い捨ておむつのように、一時に多量の液が与えられる液吸収製品には、液を短時間で吸収して膨潤する高吸収性材料（ＳＡＰ）が用いられる。使い捨ておむつなどでは、前記高吸収性材料が粉砕パルプ内に混入されて吸収性コアが形成されている。また、以下の特許文献１ないし４に記載のように、高吸収性材料を独立して配置したものがある。
【０００３】
以下の特許文献１および特許文献２に記載のものは、高吸収性材料がポリプロピレンスパンボンド不織布などで形成された袋内に充填されており、前記袋内に浸透した尿などの液が前記高吸収性材料で吸収される。
【０００４】
特許文献３に記載のものは、不織布が相互に接合されて複数の袋体が形成されて、この袋体内に高吸収性材料が収納されているが、前記高吸収性材料が液を吸収して膨潤したときに、不織布どうしの接合が外れるようにしている。特許文献４に記載のものも同じであり、ポイントボンド不織布が接合されて形成された袋体内に高吸収性材料が充填されており、高吸収性材料が液を吸収して膨潤すると、不織布どうしの接合が外れるように構成されている。
【特許文献１】特開２００１−２７６１１６号公報
【特許文献２】特開平７−２３１９１１号公報
【特許文献３】特開平６−２５４１１８号公報
【特許文献４】特開平１０−１３７２９１号公報
【発明の開示】
【発明が解決しようとする課題】
【０００５】
高吸収性材料は、液が与えられたときに膨潤することで多くの液を吸収できるものであるが、前記特許文献１および特許文献２に記載のように、スパンボンド不織布などに高吸収性材料が充填されたものでは、高吸収性材料が液を吸収したときの膨潤が制限されるため、その後に与えられる液を効果的に吸収することができなくなる。また、前記高吸収性材料が液を吸収して膨潤したときに、前記袋体の内部容積が十分に拡大できるものではないため、繰り返して与えられる液が袋体の周囲に十分に回りこめず、高吸収性材料の液吸収能力を十分に発揮できない。
【０００６】
前記特許文献３と特許文献４に記載のものは、多量の液が与えられたときに不織布間の接合が解除されるが、不織布間の接合を解除しても、高吸収性材料が狭い領域内でしか膨潤できないことに変わりはなく、その結果、高吸収性材料の液吸収能力を十分に発揮させることができない。
【０００７】
本発明は上記従来の課題を解決するものであり、液を吸収したときに膨潤する高吸収性材料の特性を有効に利用して、繰り返し与えられる液の吸収を可能とした吸収性物品およびこれを使用した使い捨ておむつを提供することを目的としている。
【課題を解決するための手段】
【０００８】
本発明は、肌側に位置する液透過性の表面シートとこれと逆の着衣側に位置する液遮断性の裏面シートとを有し内部空間が肌側に向かって広がることが可能な液収納体と、前記液収納体の内部空間に位置する液吸収ユニットとを有し、
前記液吸収ユニットは、液透過性の収納シートで形成された複数の収納袋と、前記収納袋内に収納されて液を吸収してその体積が膨張する高吸収性材料とを有しており、
前記高吸収性材料が液を吸収した状態で前記収納袋の高さ寸法が増大し、前記液収納体の内部空間が肌側に向けて拡大することを特徴とするものである。
【０００９】
この吸収性物品では、液吸収ユニット内の高吸収性材料が液を吸収して膨潤したときに、液吸収ユニットの収納袋の高さ寸法が増大できるようになっている。このように高吸収性材料が膨潤することにより、液吸収能力を十分に発揮することができる。また、高吸収性材料が液を吸収して膨潤したときに液吸収ユニットの高さ寸法が増大し、液収納体の内部空間が肌側に向けて拡大するため、繰り返して与えられた液が収納袋の周囲に十分に回りこんで、この液が高吸収性材料によって効果的に吸収されるようになる。
【００１０】
本発明は、好ましくは、前記液吸収ユニットが液を吸収する前の状態において、液収納体の内部空間が肌側へ向けて拡張できるように、前記液収納体の両側部を形成するシートが曲げられているものである。
【００１１】
前記のように、両側部に曲げ部を形成しておくと、液収納ユニットの高さ寸法が増大したときに、液収納体の内部空間が肌側へ向けて拡大しやすくなる。
【００１２】
また本発明は、前記液収納体は、前記裏面シートが、着衣側および両側部を覆っており、前記両側部において前記裏面シートが曲げられているものである。
【００１３】
液収納体の両側部に液遮断性の裏面シートが設けられていると、液収納体の内部空間に至った液が左右両側方へ滲出しなくなり、おむつなどの尿の横漏れを防止できるようになる。
【００１４】
また本発明は、前記液収納体の内部には、前記液吸収ユニットと共に、繊維層が設けられているものが好ましい。
【００１５】
液収納体の内部に繊維層が設置されていると、液吸収ユニットの高さ寸法が増大して液吸収体の内部空間が拡大したときに、この内部空間に与えられた液を前記繊維層で直ちに吸収できるようになり、繰り返して与えられる液を確実に吸収できるようになる。
【００１６】
また、本発明は、前記収納袋を形成している前記収納シートは少なくとも一部が伸縮性を有しているものが好ましく、例えば、前記収納シートの少なくとも一部が伸縮性を有するエアースルー不織布で形成されていることが好ましい。
【００１７】
収納シートが伸縮性を有すると、収納袋の内部の高吸収性材料が液を吸収して十分に膨潤できるようになる。
【００１８】
また、本発明は、前記液吸収ユニットは、前記高吸収性材料がその質量の１０倍の塩化ナトリウム水溶液（０．９％）を吸収したときに、高さが１．５倍以上に膨張することが好ましい。
【００１９】
また本発明は、前記いずれかの吸収性物品と、この吸収性物品の裏面シートを覆う着衣側シートとを有することを特徴とする使い捨ておむつである。
【００２０】
前記吸収性物品を使用した使い捨ておむつは、多量の尿を瞬時に吸収し、肌側シートに尿が残り難くなる。
【発明の効果】
【００２１】
本発明では、繰り返して与えられる尿などの液を迅速に吸収でき、よって肌側への液戻り（ウエットバック）も生じにくい。
【発明を実施するための最良の形態】
【００２２】
図１は本発明の第１の実施の形態の吸収性物品を使用した使い捨ておむつを、肌側シートを上にして示した斜視図、図２は図１のＩＩ−ＩＩ線の断面図、図３（Ａ）（Ｂ）は前記吸収性物品の液の吸収機能を説明する拡大断面図である。
【００２３】
図１に示す使い捨ておむつ１は、いわゆるオープン型またはパンツ型として使用されるものである。この使い捨ておむつ１は、前方ウエスト縁部２と後方ウエスト縁部３を有しており、左右両側には凹曲線状の右側レッグ凹部４と左側レッグ凹部５が形成されている。右側レッグ凹部４の前方には右前方縁部６ａが、後方には右後方縁部６ｂが形成されている。また左側レッグ凹部５の前方には左前方縁部７ａが、後方には左後方縁部７ｂが形成されている。
【００２４】
オープン型おむつでは、右側レッグ凹部４と左側レッグ凹部５とが乳児などの大腿部に当てられ、前方ウエスト縁部２が腹部に、後方ウエスト縁部３が臀部に当てられて、右前方縁部６ａと右後方縁部６ｂとが重ねられて粘着層を有するテープなどで止められ、同様に左前方縁部７ａと左後方縁部７ｂとが重ねられて同様にテープで止められる。
【００２５】
またパンツ型おむつでは、右前方縁部６ａと右後方縁部６ｂとが比較的容易に分離できるように熱融着などで接合され、同様に左前方縁部７ａと左後方縁部７ｂとが比較的容易に分離できるように接合される。その結果、前方ウエスト縁部２と後方ウエスト縁部３とでウエスト開口部が形成され、右側レッグ凹部４と左側レッグ凹部５によって、大腿部を挿入可能なレッグ開口部が形成される。
【００２６】
図２に示すように、使い捨ておむつ１は、着衣側表面が液遮断性の着衣側シート１１で覆われ、肌側が液透過性の肌側シート１２で覆われている。着衣側シート１１と肌側シート１２は、共に図１に示すように使い捨ておむつ１の外形と同じ砂時計形状に切断されており、使い捨ておむつ１の縁部において、着衣側シート１１と肌側シート１２が互いにホットメルト型接着剤などで接着されている。
【００２７】
図２に示すように、前記右側レッグ凹部４と左側レッグ凹部５の内側では、着衣側シート１１と肌側シート１２との間にレッグバンド１３が挟まれて接着されている。レッグバンド１３は合成ゴムなどの弾性部材で形成されており、このレッグバンド１３により大腿部を締め付けるレッグギャザーが形成されている。
【００２８】
また、前方ウエスト縁部２と後方ウエスト縁部３では、着衣側シート１１と肌側シート１２との間にウエストバンド１４，１４が介装されて接着されている。前記ウエストバンド１４は合成ゴムなどの弾性材料で形成されており、ウエスト部を締め付けるウエストギャザーが形成されている。
【００２９】
前記着衣側シート１１は、ポリエチレン樹脂などで形成された透湿性の樹脂フィルム、透湿性で液遮断機能を有する不織布、あるいは樹脂フィルムと不織布とが接合された複合シートなどで形成されている。前記肌側シート１２は、スパンレース不織布、または多数の液透過孔を有するスパンボンド不織布などの液透過性の不織布、多数の液透過孔が形成された樹脂フィルムなどで形成されている。
【００３０】
前記着衣側シート１１と肌側シート１２との間に、吸収性物品２０が介在している。この吸収性物品２０の着衣側表面は、着衣側シート１１に接着されて固定されている。なお、使い捨ておむつの構造として、吸収性物品２０の肌側を覆う肌側シート１２が設けられておらず、着衣側シート１１に吸収性物品２０が接着されて固定され、吸収性物品２０の左右両側に、前記着衣側シート１１から立体的に立ち上がる防漏壁が設けられたものであってもよい。
【００３１】
図１に示すように前記吸収性物品２０は、横方向（Ｘ方向）の幅寸法よりも縦方向（Ｙ方向）の長さ寸法の大きい長方形状の液収納体２１を有している。前記液収納体２１は、液遮断性の裏面シート２２と、液透過性の表面シート２３とで内部に空間を有するように袋状に形成されている。
【００３２】
前記裏面シート２２は、吸収性物品２０の着衣側表面２０ａおよび右側部２０ｂおよび左側部２０ｃを覆っている。前記表面シート２３は、吸収性物品２０の肌側表面２０ｄを覆っている。裏面シート２２の右側縁部２２ａおよび左側縁部２２ｂは、前記表面シート２３の左右両側縁の上面に重ねられて、右側縁部２２ａと左側縁部２２ｂとが、表面シート２３に接着されている。
【００３３】
図２に示すように、吸収性物品２０の右側部２０ｂと左側部２０ｃでは、裏面シート２２が折り畳まれて折畳み部２４，２４が形成されている。そして、図１に示すように、吸収性物品２０の前縁部２０ｅと後縁部２０ｆにおいて、前記裏面シート２２と表面シート２３とが互いに接合されており、液収納体２１の内部に密閉された空間を形成している。
【００３４】
裏面シート２２と表面シート２３は共に柔軟に変形するものであり、液収納体２１は、その内部空間が肌側に向けて拡大可能である。また吸収性物品２０の右側部２０ｂと左側部２０ｃにおいて、裏面シート２２が前記折畳み部２４，２４を形成しているため、この折畳み部２４，２４が肌側に伸びることによって、液収納部２１は、その内部空間が上方（肌側）に向けてさらに拡大しやすくなっている。
【００３５】
前記裏面シート２２は、ポリエチレン樹脂などの樹脂フィルムで形成されている。あるいは裏面シートが撥水処理された不織布であってもよい。
【００３６】
表面シート２３は液透過性であり、エアースルー不織布で形成されている。このエアースルー不織布は、ポリエチレン（ＰＥ）樹脂繊維、ポリプロピレン（ＰＰ）樹脂繊維、ポリエチレンテレフタレート（ＰＥＴ）樹脂繊維、ＰＥ樹脂とＰＰ樹脂の複合合成繊維、またはＰＥ樹脂とＰＥＴ樹脂の複合合成繊維の各種合成樹脂繊維の少なくとも１種類で形成され、これら繊維が熱風により融着されて形成されている。
【００３７】
前記エアースルー不織布を形成している繊維は、界面活性剤を塗工しあるいは練り込んで親水処理されたものであり、目付けは１０〜５０ｇ／ｍ2程度であり、好ましくは１５〜３５ｇ／ｍ2である。
【００３８】
前記表面シート２３は、多数の液透過孔を有するスパンボンド不織布や、多数の液透過孔を有する樹脂フィルムで形成することもできる。
【００３９】
前記吸収性物品２０では、液収納体２１の内部に、液吸収ユニット３０と繊維層２６とが収納されている。図の実施の形態では、液吸収ユニット３０が２つ重ねて配置されているが、本発明は液吸収ユニット３０の数が２つに制限されるものではない。
【００４０】
それぞれの液吸収ユニット３０は、肌側に位置する第１の収納シート３１と着衣側に位置する第２の収納シート３２とを有している。第１の収納シート３１と第２の収納シート３２は、接合線３３で互いに接合されている。図１に示すように、前記接合線３３は、横方向（Ｘ方向）および縦方向（Ｙ方向）に共に間隔を空けて複数列形成されており、前記液吸収ユニット３０には、前記接合線３３で囲まれた複数の収納袋３５が区分されて形成されている。そして、それぞれの収納袋３５の内部に高吸収性材料３６が充填されている。
【００４１】
前記第１の収納シート３１と第２の収納シート３２は共に液透過性であり、少なくとも一方の収納シートは伸縮性を有している。この実施の形態では、第１の収納シート３１が、伸縮性を有するエアースルー不織布で形成されている。このエアースルー不織布は、ポリエチレン（ＰＥ）樹脂繊維、ポリプロピレン（ＰＰ）樹脂繊維、ポリエチレンテレフタレート（ＰＥＴ）樹脂繊維、ＰＥ樹脂とＰＰ樹脂の複合合成繊維、またはＰＥ樹脂とＰＥＴ樹脂の複合合成繊維の各種合成樹脂繊維の少なくとも１種類で形成され、これら繊維が熱風により融着されて形成されている。
【００４２】
前記エアースルー不織布を形成している繊維は、界面活性剤を塗工しあるいは練りこんで親水処理されたものであり、目付けは１０〜５０ｇ／ｍ2程度であり、好ましくは１５〜３５ｇ／ｍ2のものが使用される。
【００４３】
第２の収納シート３２は、レーヨン繊維および親水処理された前記合成樹脂繊維を含むスパンレース不織布である。あるいは第２の収納シート３２が、多数の液透過孔を有する不織布や多数の液透過孔を有する樹脂フィルムで形成されてもよい。この実施の形態の液吸収ユニット３０は、第１の収納シート３１が伸縮性を有するものであるが、前記第１の収納シート３１と第２の収納シート３２が共に伸縮性を有するエアースルー不織布で形成されていてもよい。
【００４４】
高吸収性材料（ＳＡＰ）３６は、ポリアクリル酸塩、ポリビニルアルコール系、ポリアクリルアミド系などの合成ポリマー、またはデンプン系やセルロース系などであり、この実施の形態では、アクリル酸およびアクリル酸アルカリ塩水溶液を、ＨＬＢ８〜１２の界面活性剤が共存する脂環族炭化水素溶媒、または脂肪族炭化水素溶媒中に懸濁させ、水溶性ラジカル開始剤の存在下で逆懸濁重合させてなる粒状の高分子吸収剤が使用されている。
【００４５】
高吸収性材料３６は、０．９％濃度の塩化ナトリウム水溶液を自重の５０〜６０倍吸収可能なものであり、前記水溶液の吸収速度が４５秒以下、好ましくは２０秒以下、さらに好ましくは１０秒以下のものが使用される。
【００４６】
前記吸収速度はVortex法で測定されたものであり、容積１００ｃｃのビーカーに前記水溶液を５０ｇ入れて、温度２５±１℃とし、三田村理研工業（MITAMURA RIKEN KOGYO INC）のマグミックススターラー（MAGMIX STIRRER）を用い、６００±３０ｒｐｍの回転速度で前記水溶液を攪拌しながら、ビーカー内に高吸収性材料３６を２ｇ投入する。投入時から、ビーカー内の液体の表面の渦が平面となった時（高吸収性材料が水溶液を吸収して膨潤した時）までの時間である。
【００４７】
前記液吸収ユニット３０が液を吸収していない状態において、個々の収納袋３５内には高吸収性材料３６がほぼ隙間無く充填されており、または高吸収性材料が隙間を有する量で収納されている。液を吸収していない状態での個々の収納袋３５の容積よりも、液を吸収して高吸収材料３６が膨張したときの収納袋３５の容積の方が大きくなっている。収納袋３５内の高吸収性材料３６が液を吸収して膨張すると、第１の収納シート３１が伸びて、個々の収納袋３５が肌側に向けて膨らみ、液吸収ユニット３０の厚みが肌側へ向けて増大する。
【００４８】
前記高吸収性材料３６がその質量の１０倍の塩化ナトリウム水溶液（０．９％）を吸収したときに、高さが１．５倍以上に膨張し、好ましくは２倍以上に膨張する。
【００４９】
前記繊維層２６は、親水性繊維で形成されたものであり、この実施の形態では、パルプをエアーレイド法で積層した積層パルプで、目付けが１００ｇ／ｍ2のものが２枚重ねで使用されている。繊維層２６は液吸収機能を有するものであれば、前記のものに限られず、例えばエアーレイド法で積層したパルプをバインダーで接合したエアーレイドパルプ、レーヨンとパルプを同じく積層してバインダーで接合したエアーレイド不織布、その他吸水紙の積層体などのようにセルロース系材料で形成されたものが使用可能である。
【００５０】
前記繊維層２６は、液収納体２１内の全域に敷設できるように長方形状であり、繊維層２６は裏面シート２２に接着されている。２つの液吸収ユニット３０は互いに収納袋３５の膨張を妨げないように複数箇所で部分的に接合されており、下側に位置する液吸収ユニット３０も、収納袋３５の膨張を妨げないように複数箇所で前記繊維層２６に接合されている。なお、２つの液吸収ユニット３０は、それぞれの収納袋３５どうしが重なるように設置されている。また、表面シート２３と上側の液吸収ユニット３０も、収納袋３５の膨張を妨げないように複数箇所で接着されている。
【００５１】
次に、前記使い捨ておむつ１および吸収性物品２０の液の吸収機能を説明する。
図３（Ａ）に示すように、尿を吸収する前の使い捨ておむつ１では、液吸収ユニット３０の収納袋３５は収縮した状態である。収納袋３５を覆う第１の収納シート３１は軟質なエアースルー不織布で形成され、前記収納袋３５の内部には粒状の高吸収性材料３６が存在しているため、液吸収ユニット３０はそれ自体が軟質である。そのため、排尿以前の状態では、使い捨ておむつ１が身体の肌に柔軟にフィットし、着用者に違和感を与えないようになっている。
【００５２】
最初の排尿時には、尿が肌側シート１２を透過し、吸収性物品２０の表面シート２３を透過して、液吸収ユニット３０の第１の収納シート３１を透過して高吸収性材料３６に吸収される。少量の尿が与えられたときには、液吸収ユニット３０の収納袋３５の容積がさほど変化することがないが、多量の尿が与えられて、これが高吸収性材料３６に吸収されると、高吸収性材料３６が尿を吸収して膨潤し、その体積が膨張する。第１の収納シート３１は伸縮自在なエアースルー不織布で形成されているため、高吸収性材料３６が膨張すると、第１の収納シート３１が伸びて、個々の収納袋３５の内容積が増大し、図３（Ｂ）に示すように収納袋３５の厚みが肌側へ向けて拡大する。
【００５３】
液収納体２１を構成している裏面シート２２と表面シート２３は軟質であるため、液吸収ユニット３０の厚みの膨張に伴って、液収納体２１の内部空間が肌側に向けて膨張する。特にこの実施の形態では、図３（Ａ）に示す尿が与えられていない状態において、吸収性物品２０の右側部２０ｂと左側部２０ｃにおいて、裏面シート２２が折畳み部２４を有してゆとりを持っているため、液吸収ユニット３０の厚さ寸法が増大したときに、液収納体２１の内部空間が肌側に向けて拡大しやすくなっている。
【００５４】
図３（Ｂ）に示すように、液収納体２１の内部では、尿を吸収して厚みが増大した収納袋３５が表面シート２３を肌側へ押し上げるようにして支えることになり、その結果、液収納体２１の内部では、膨張した収納袋３５の周囲に空間が形成される。この状態で、次に吸収性物品２０に尿が与えられると、この尿は表面シート２３を透過して、前記内部空間内に瞬時に移行する。したがって、多量の尿が与えられたときに表面シート２３の表面に尿が漂うことがなく、着用者の肌に湿潤感を与えにくくなる。前記内部空間内に移行した尿は、収納袋３５の周囲に自由に廻り込んで、高吸収性材料３６によって短時間に吸収される。このように、尿が収納袋３５の周囲の空間に回りこむようにして収納袋３５内の高吸収性材料３６で吸収されるため、高吸収性材料３６によって尿を効率良く、確実に吸収することができる。
【００５５】
また、液収納体２１の内部空間において着衣側に移動した尿は、繊維層２６に吸収されて拡散されていく。このように繊維層２６を設けることにより、液収納体２１の内部に尿が留まりにくくなる。このように、液収納体２１の内部に尿が長時間漂うことがないため、繰り返して与えられた尿を短時間で確実に吸収することができる。
【００５６】
また、前記液吸収ユニット３０では、高吸収性材料３６が膨潤したときに、収納袋３５の内容積が自由に増大するため、液を吸収したときに高吸収性材料３６の膨潤が妨げられず、尿の吸収量を高めることができる。
【００５７】
また、液収納体２１では左右両側部２０ａ，２０ｂが液遮断性の裏面シート２２で覆われているので、液収納体２１の内部の尿が左右に漏れ出ることが生じ難い。よって使い捨ておむつ１の横漏れを防止しやすい。
【００５８】
図４は第２の実施の形態の吸収性物品２０Ａを示す断面図である。
この吸収性物品２０Ａの液収納体２１Ａは、裏面シート２２が左右両側部２０ｂ，２０ｃにおいてＶ字状に折り畳まれた折畳み部２４Ａが形成されている。液収納体２１Ａの内部には、液吸収ユニット３０Ａが１層のみ設けられており、繊維層２６は設けられていない。
【００５９】
この吸収性物品２０Ａでも、液吸収ユニット３０Ａの収納袋３５内の高吸収性材料３６が尿を吸収して膨潤すると、収納袋３５が肌側へ向けて膨張し、液収納体２１Ａの内部空間が拡大する。よってその内部空間内に移行した尿が収納袋３５の周囲にまんべんなく移行することで、収納袋３５内の高吸収性材料３６により尿が効果的に吸収されるようになる。
【００６０】
また、図４に示す吸収性物品２０Ａでは、液吸収ユニット３０Ａの収納袋３５と収納袋３５との間で、第１の収納シート３１と第２の収納シート３２との間に幅寸法Ｗの非接合部３４が設けられ、この非接合部３４の両端部においてのみ両収納シート３１と３２とが接合された接合部３３Ａ，３３Ａが形成されている。前記非接合部３４の幅寸法Ｗは３ｍｍ以上であり好ましくは５ｍｍ以上である。またその上限は１０ｍｍ程度である。
【００６１】
前記非接合部３４を設けておくと、この非接合部３４に与えられた尿が、両収納シート３１と３２とを透過して、収納袋３５の下側に回り込んで高吸収性材料３６で吸収されるようになり、液収納体２１Ａの内部空間を有効に利用できるようになる。したがって、図３に示すように繊維層２６を設ける場合においても、図４に示すように非接合部３４を有する液吸収ユニット３０Ａを使用することが好ましい。
【００６２】
なお、前記幅寸法Ｗの領域において、第１の収納シート３１と第２の収納シート３２を点々状などのように部分的に接合してもよい。
【００６３】
また、本発明の液吸収体は、使い捨ておむつに限られず、老人介護用において下着の内側または使い捨ておむつの内側に敷かれて使用される尿吸収パッドとしても使用することが可能である。また生理用ナプキンなどにも使用可能である。
【００６４】
また、前記液吸収体が軟質なシートで形成されていれば、内部空間が肌側に向けて膨張しやすくなるため、前記折畳み部２４，２４Ａは必ずしも必要ではない。
【図面の簡単な説明】
【００６５】
【図１】本発明の第１の実施の形態の吸収性物品を使用した使い捨ておむつを、肌側シートを上に向けて示す斜視図、
【図２】図１の使い捨ておむつをＩＩ−ＩＩ線で切断した断面図、
【図３】（Ａ）（Ｂ）は前記吸収性物品の液の吸収機能を説明する断面図、
【図４】第２の実施の形態の吸収性物品を示す断面図、
【符号の説明】
【００６６】
１  使い捨ておむつ
１１  着衣側シート
１２  肌側シート
２０，２０Ａ  吸収性物品
２１，２１Ａ  液収納体
２２  裏面シート
２３  表面シート
２４，２４Ａ  折畳み部
２６  繊維層
３１  第１の収納シート
３２  第２の収納シート
３５  収納袋
３６  高吸収性材料
【図１】
2005137648.tif 000003
【図２】
2005137648.tif 000004
【図３】
2005137648.tif 000005
【図４】
2005137648.tif 000006